(57)【要約】【課題】タイムダイバーシティ伝送において、割り込みデータを迅速に送受信することを目的とする。【解決手段】第１のデータ列から生成した同一内容のデータに時間差を設けて送信するタイムダイバーシティ送信装置４において、第１のデータ列とは異なる第２のデータ列の入力に対して、第１のデータ列の処理経路から第２のデータ列の処理経路に切り替える切替部４１，４４と、第１のデータ列と第２のデータ列とを識別するための識別信号を発生して第１のデータ列及び／又は第２のデータ列に多重して伝送する多重伝送部４９，５１とを有することにより、上記課題を解決する。【選択図】        図３
2005072681.tif 000002
【特許請求の範囲】
【請求項１】
第１のデータ列から生成した同一内容のデータに時間差を設けて送信するタイムダイバーシティ送信装置において、
第１のデータ列とは異なる第２のデータ列の入力に対して、第１のデータ列の処理経路から第２のデータ列の処理経路に切り替える切替部と、
第１のデータ列と第２のデータ列とを識別するための識別信号を発生して第１のデータ列及び／又は第２のデータ列に多重して伝送する多重伝送部とを有することを特徴とするタイムダイバーシティ送信装置。
【請求項２】
前記切替部は、
入力されるデータ列が第２のデータ列である場合、同一内容のデータを生成せず、時間差を設けずに送信する処理経路に切り替えることを特徴とする請求項１に記載のタイムダイバーシティ送信装置。
【請求項３】
前記切替部は、
第２のデータ列を送信する送信指示情報に基づいて、前記処理経路を切り替えることを特徴とする請求項１又は２に記載のタイムダイバーシティ送信装置。
【請求項４】
タイムダイバーシティ伝送されている第１のデータ列又は第１のデータ列と異なる第２のデータ列を受信し、第１のデータ列又は第２のデータ列を出力するタイムダイバーシティ受信装置において、
第１のデータ列と第２のデータ列とを識別するための識別信号を検出する識別信号検出部と、
前記識別信号検出部により検出される識別信号に基づいて、第１のデータ列の処理経路と第２のデータ列の処理経路とを切り替える切替部とを有することを特徴とするタイムダイバーシティ受信装置。
【請求項５】
前記切替部は、
識別信号が第２のデータ列を示す場合、時間差が設けられた同一内容のデータから一つのデータを選択する処理をしない第２のデータ列の処理経路に切り替えることを特徴とする請求項４に記載のタイムダイバーシティ受信装置。
【請求項６】
第１のデータ列から生成した同一内容のデータに時間差を設けて送信するタイムダイバーシティ送信方法において、
第１のデータ列とは異なる第２のデータ列の入力に対して、第１のデータ列の処理経路から第２のデータ列の処理経路に切り替える切替段階と、
第１のデータ列と第２のデータ列とを識別するための識別信号を発生して第１のデータ列及び／又は第２のデータ列に多重して伝送する多重伝送段階とを有することを特徴とするタイムダイバーシティ送信方法。
【請求項７】
タイムダイバーシティ伝送されている第１のデータ列又は第１のデータ列と異なる第２のデータ列を受信し、第１のデータ列又は第２のデータ列を出力するタイムダイバーシティ受信方法において、
第１のデータ列と第２のデータ列とを識別するための識別信号を検出する識別信号検出段階と、
前記識別信号検出段階により検出される識別信号に基づいて、第１のデータ列の処理経路と第２のデータ列の処理経路とを切り替える切替段階とを有することを特徴とするタイムダイバーシティ受信方法。
【発明の詳細な説明】
【０００１】
【発明の属する技術分野】
本発明は、タイムダイバーシティ送信装置、受信装置、送信方法、及び受信方法に係り、特に割り込みデータを迅速に送受信することができるタイムダイバーシティ送信装置、受信装置、送信方法、及び受信方法に関する。
【０００２】
【従来の技術】
近年、データ伝送においては送信装置や受信装置の移動時におけるビル等の建物もしくは山岳等の地形による影響、又は強い降雨による影響等により、受信装置での受信レベルが低下し通信品質が劣化する、いわゆるフェージングが発生する。
【０００３】
このフェージングの影響を軽減し、高品質のデータ伝送を行うためのダイバーシティ方式が幾つか存在し、その一つとして同一内容のデータを繰り返し送信するタイムダイバーシティ方式が有効であると考えられている。
【０００４】
そのため、現在では、タイムダイバーシティ伝送方式を用いてデータ伝送するための伝送系が検討されている（例えば、非特許文献１参照。）。また、降雨減衰対策としてタイムダイバーシティを用いた場合の効果についても開示されている（例えば、非特許文献２参照。）。
【０００５】
ここで、従来のタイムダイバーシティ伝送システムの一例について図を用いて説明する。図１は、従来のタイムダイバーシティ伝送システムの一例を示すブロック構成図である。
【０００６】
図１のタイムダイバーシティ伝送システムは、送信装置１と、受信装置２とを有し、送信装置１から送信されるデータは、例えば、無線通信等からなる伝送路３を介して受信装置２へ伝送されるよう構成されている。送信装置１は、遅延部１１と、多重化部１２と、外符号符号化部１３と、インターリーブ部１４と、内符号符号化部１５と、同期信号発生部１６と、切替部１７と、デジタル変調部１８とを有するよう構成されている。受信装置２は、デジタル復調部２１と、クロック再生部２２と、分周・逓倍部２３と、同期信号検出部２４と、内符号復号部２５と、デインターリーブ部２６と、外符号復号部２７と、分配部２８と、遅延部２９と、誤り率測定部３０と、切替部３１とを有するよう構成されている。
【０００７】
図１に示す送信装置１は、入力されたデータを、遅延素子からなる遅延部１１を有する経路と遅延を行わずに実時間で出力する経路とに分配し、同一内容のデータに所定の時間差を生じさせる。時間差を生じたデータは多重化部１２に出力され、多重化部１２において夫々のデータが多重化される。つまり、多重化部１２により同一のデータが、遅延部１１に設定された時間間隔（例えば、Ｔとする。）による時間差Ｔで２回多重化され出力される。
【０００８】
次に、多重化されたデータは外符号符号化部１３に出力され、外符号符号化部１３により、第１の誤り訂正符号のパリティを付加する処理、いわゆる外符号符号化処理が行われ、インターリーブ部１４に出力される。インターリーブ部１４は、入力されたデータ系列の順序の入れ替えを行い、内符号符号化部１５に出力する。
【０００９】
内符号符号化部１５では、入力されたデータ系列に対して、第２の訂正符号のパリティを付加する処理、いわゆる内符号符号化処理を行う。また、同期信号発生部１６は、伝送されるデータにおいて受信側で周期のタイミングをとるための基準となる同期信号を発生する。切替部１７は、予め設定された同期信号の付加タイミングに基づいて切り替えを行うことにより、データに同期信号を多重化する。同期信号を多重化されたデータは、デジタル変調部１８にてデジタル変調が行われ伝送路３に送出される。
【００１０】
伝送路３では、上述したような装置の移動や降雨時等の影響により信号が減衰する。例えば、降雨の影響により閾値以上の減衰が発生した場合には、降雨遮断が発生してその間の受信装置側で電波の受信はできなくなる。
【００１１】
受信装置２は、伝送路３を介して受信したデータをデジタル復調部２１に入力して検波を行う。このときクロック再生部２２は、受信したデータから、受信装置２における後続の構成部で使用されるタイミング基準信号（クロック信号）を再生してデジタル復調部２１に出力する。更に、クロック再生部２２にて再生されたクロック信号は、分周・逓倍部２３に出力される。分周・逓倍部２３は、後続の構成部で使用される周波数に合わせた分周又は逓倍を行い、各構成部にクロック信号を供給する。
【００１２】
デジタル復調部２１は、検波後のデータを同期信号検出部２４と内符号復号部２５とに出力する。同期信号検出部２４は、送信装置１の切替部１７で多重した同期信号の検出を行い、後続の構成部分での処理を実行する際に必要となるゲート信号を発生する。
【００１３】
ここで、クロック再生部２２にて再生されたクロック信号が、送信装置１内で使用されているタイミング信号と同期し、且つ同期信号検出部２４において同期信号が高精度に検出できている場合、後続の構成部分においてタイムダイバーシティ伝送における的確なデータの選択が可能となる。
【００１４】
次に、内符号復号部２５は、第２の誤り訂正符号の復号を行い、デインターリーブ部２６に出力する。デインターリーブ部２６は、送信側のインターリーブ部１４で入れ替えられたデータ系列を元の順序に戻すための順序入れ替えを行う。なお、送信側でのインターリーブと、受信側でのデインターリーブにより、伝送中の一定の時間範囲おいて降雨減衰により伝送が遮断した場合でも、伝送中におけるデータ配列は入れ替えられているため、誤り訂正が有効に作用し、連続するデータ全体に影響を及ぼすことなく、復元精度を向上させることができる。
【００１５】
デインターリーブ部２６は、データ配列を入れ替えた後、外符号復号部２７に出力し、外符号復号部２７により第１の誤り訂正符号の復号が行われる。
【００１６】
外符号復号部２７より得られるデータは分配部２８に出力される。分配部２８は、入力されたデータについて、実時間で送信されたデータである場合、遅延素子からなる遅延部２９により所定時間Ｔを遅延させて切替部３１へ出力し、遅延時間Ｔで送信されたデータである場合、遅延部２９を通らない経路から切替部３１へ出力する。上述の分配部２８及び遅延部２９における処理により、送信時に時間差を有する同一の内容のデータを同期化させることができる。
【００１７】
ここで、外符号復号部２７における復号時には、誤り率測定部３０にてビット誤り率が測定され、その測定結果が切替部３１に出力される。切替部３１は、誤り率測定部３０からの誤り率に基づき誤り率の少ないデータが出力される経路に切り替えてデータを出力する。
【００１８】
なお、ビット誤り率は外符号の誤り訂正前と後のビット比較を行う場合や、誤り訂正時の計算過程で得られるシンドロームを監視する方法等が知られている。前者の場合は、訂正能力を超えた場合には、正確な誤り率が測定できないという欠点がある。また、後者の場合は、数値としてビット誤り率が測定できるというものではなく、訂正能力の範囲内か否かの判定のみが可能である。しかしながら、ここでの用途としては何れの方法も利用可能である。
【００１９】
上述したタイムダイバーシティ伝送システムにより、複数の同一内容のデータから誤りの少ないデータを選択して出力することができる。これにより、降雨等における遮断の影響が軽減される。
【００２０】
次に、上述した従来のタイムダイバーシティ伝送システムにおけるデータの様子について図２を用いて説明する。図２において、図２（１）は送信装置１の多重化部１２から出力されるデータブロックの信号例である。ここで、遅延部１１にて遅延されたデータの遅延時間をＴとしており、遅延部１１を通過する経路と通過しない経路とにより多重化部１２へ出力されるデータの出力タイミングが異なっている。
【００２１】
また、図２（２）〜図２（４）は、図２（１）に示したデータの伝送中に図２（ａ）に示す降雨減衰により、受信装置２における受信Ｃ／Ｎ（搬送波対雑音電力比）が閾値Ｃ／Ｎ以下となり、データが遮断された斜線部分を含むデータの様子を示すものである。図２（２）は、外符号復号部２７から出力されるデータを示している。また、図２（３）は、分配部２８から遅延部２９の有り、無しの２つの経路から出力される同期化された同一内容のデータを示している。更に、図２（４）は、切替部３１にて誤り率の少ないデータが選択され出力されたデータを示している。
【００２２】
なお、図１と図２の関連性を明確にするため、図２における（１）〜（４）の信号となる時点の構成部分の位置を図１上にも記載している。また、図２（２）〜図２（４）における斜線部分のデータは、降雨減衰により遮断されたデータ部分を示すものである。
【００２３】
図２（４）に示すように、タイムダイバーシティ方式による伝送方式を用いることにより、同一内容の複数のデータを同期化し、同期化したデータから誤り率の少ないデータを選択して出力することで、実際の遮断時間に比べ欠損の少ないデータが得ることができ、降雨による遮断の影響を軽減することができる。
【００２４】
なお、図１における遅延部の構成はこの限りではなく、複数の遅延部を有し、夫々異なる遅延時間を設定して遅延させた信号を伝送することにより、通信品質の精度を向上させることができる。
【００２５】
【非特許文献１】
橋本明記，山崎雷太，亀井雅，中川仁「蓄積受信を用いた降雨減衰補償についての一検討」２００２年電子情報通信学会通信ソサイエティ大会，Ｂ−３−５
【００２６】
【非特許文献２】
中山哲也，都竹愛一郎，福地一，黒木聖司「ＡＭｅＤＡＳデータによる２１ＧＨｚ帯高度衛星放送システムの降雨減衰対策」電子情報通信学会，信学技報Ａ・Ｐ９６−３３（１９９６−０６）
【００２７】
【発明が解決しようとする課題】
タイムダイバーシティ方式におけるデータ伝送を行うことで、降雨遮断による通信品質の影響を軽減することができる、また、上述したように降雨遮断があっても時間差を持たせた同一内容のデータのうち何れか一方が正しく受信することができれば、全く遮断なくデータを受信することも可能である。
【００２８】
しかしながら、上述のシステムの問題点として、受信装置側で複数回伝送されるデータを全て受信し最も状態の良いデータを選択して出力するため、データを送信装置に入力してから受信装置にてデータが取り出されるまでに非常に大きな遅延時間が発生してしまう。
【００２９】
そのため、例えば緊急ニュースを放送したい場合、従来の受信装置における伝送では大きな遅延が入るため、迅速に放送を提供することができない。したがって、タイムダイバーシティ伝送は緊急ニュース等の即時性の必要な放送の利用に向いていなかった。
【００３０】
本発明は、上述した問題点に鑑みなされたものであり、割り込みデータを迅速に送信、受信するためのタイムダイバーシティ送信装置、受信装置、送信方法、及び受信方法を提供することを目的とする。
【００３１】
【課題を解決するための手段】
上記課題を解決するために、本件発明は、以下の特徴を有する課題を解決するための手段を採用している。
【００３２】
請求項１に記載された発明は、第１のデータ列から生成した同一内容のデータに時間差を設けて送信するタイムダイバーシティ送信装置において、第１のデータ列とは異なる第２のデータ列の入力に対して、第１のデータ列の処理経路から第２のデータ列の処理経路に切り替える切替部と、第１のデータ列と第２のデータ列とを識別するための識別信号を発生して第１のデータ列及び／又は第２のデータ列に多重して伝送する多重伝送部とを有することを特徴とする。
【００３３】
請求項１記載の発明によれば、伝送されるデータに大きな遅延が生じるタイムダイバーシティ伝送において、割り込みデータ等の即時性を有するデータ列を迅速に送信することができる。これにより、タイムダイバーシティにおける高精度なデータの送信を実現することができる。
【００３４】
請求項２に記載された発明は、前記切替部は、入力されるデータ列が第２のデータ列である場合、同一内容のデータを生成せず、時間差を設けずに送信する処理経路に切り替えることを特徴とする。
【００３５】
請求項２記載の発明によれば、タイムダイバーシティにおいて通常行われる同一のデータに時間差を設けて生成する処理を行わずに送信することで、データを迅速に送信することができる。
【００３６】
請求項３に記載された発明は、前記切替部は、第２のデータ列を送信する送信指示情報に基づいて、前記処理経路を切り替えることを特徴とする。
【００３７】
請求項３記載の発明によれば、送信指示情報により容易にデータの切り替えを実現できる。これにより、第１のデータ列と第２のデータ列とを多重させて送信することができる。
【００３８】
請求項４に記載された発明は、タイムダイバーシティ伝送されている第１のデータ列又は第１のデータ列と異なる第２のデータ列を受信し、第１のデータ列又は第２のデータ列を出力するタイムダイバーシティ受信装置において、第１のデータ列と第２のデータ列とを識別するための識別信号を検出する識別信号検出部と、前記識別信号検出部により検出される識別信号に基づいて、第１のデータ列の処理経路と第２のデータ列の処理経路とを切り替える切替部とを有することを特徴とする。
【００３９】
請求項４記載の発明によれば、伝送されるデータに大きな遅延が生じるタイムダイバーシティ伝送において、データを識別信号により識別して処理経路を切り替えることにより、割り込みデータ等の即時性を有するデータ列を迅速に出力することができる。これにより、タイムダイバーシティにおける高精度なデータの受信を実現することができる。
【００４０】
請求項５に記載された発明は、前記切替部は、識別信号が第２のデータ列を示す場合、時間差が設けられた同一内容のデータから一つのデータを選択する処理をしない第２のデータ列の処理経路に切り替えることを特徴とする。
【００４１】
請求項５記載の発明によれば、第２のデータ列を迅速に出力することができる。これにより、タイムダイバーシティにおける高精度なデータの受信を実現することができる。
【００４２】
請求項６に記載された発明は、第１のデータ列から生成した同一内容のデータに時間差を設けて送信するタイムダイバーシティ送信方法において、第１のデータ列とは異なる第２のデータ列の入力に対して、第１のデータ列の処理経路から第２のデータ列の処理経路に切り替える切替段階と、第１のデータ列と第２のデータ列とを識別するための識別信号を発生して第１のデータ列及び／又は第２のデータ列に多重して伝送する多重伝送段階とを有することを特徴とする。
【００４３】
請求項６記載の発明によれば、伝送されるデータに大きな遅延が生じるタイムダイバーシティ伝送において、割り込みデータ等の即時性を有するデータ列を迅速に送信することができる。これにより、タイムダイバーシティにおける高精度なデータの送信を実現することができる。
【００４４】
請求項７に記載された発明は、タイムダイバーシティ伝送されている第１のデータ列又は第１のデータ列と異なる第２のデータ列を受信し、第１のデータ列又は第２のデータ列を出力するタイムダイバーシティ受信方法において、第１のデータ列と第２のデータ列とを識別するための識別信号を検出する識別信号検出段階と、前記識別信号検出段階により検出される識別信号に基づいて、第１のデータ列の処理経路と第２のデータ列の処理経路とを切り替える切替段階とを有することを特徴とする。
【００４５】
請求項７記載の発明によれば、伝送されるデータに大きな遅延が生じるタイムダイバーシティ伝送において、データを識別信号により識別して処理経路を切り替えることにより、割り込みデータ等の即時性を有するデータ列を迅速に出力することができる。これにより、タイムダイバーシティにおける高精度なデータの受信を実現することができる。
【００４６】
【発明の実施の形態】
＜本発明の特徴＞
本発明は、タイムダイバーシティ伝送方式にて、他のデータ（第１のデータ列）の伝送中に緊急放送等の即時性を有する割り込みデータ（第２のデータ列）を伝送する場合、送信側から割り込みデータの一例としての緊急放送データが伝送されることを示す識別情報を付加して送信し、また、それまで送信していた他のデータの送信を一旦停止し、緊急放送データを優先して送信した後、停止していた他のデータの送信を再開する。
【００４７】
一方、受信側では、受信したデータに含まれる識別情報を検出すると、別経路に切り替えて緊急放送データを迅速に出力する。
【００４８】
以下、上記のような特徴を有する本発明におけるタイムダイバーシティ送信装置、受信装置、送信方法、及び受信方法を好適に実施した形態について図面を用いて詳細に説明する。
【００４９】
＜本発明の実施形態＞
次に、本発明におけるタイムダイバーシティ伝送システムの実施の形態について図を用いて説明する。図３は、本発明におけるタイムダイバーシティ伝送システムの一例を示すブロック構成図である。
【００５０】
図３のタイムダイバーシティ伝送システムは、送信装置４と、受信装置５とを有し、送信装置４から送信されるデータは、例えば、無線通信等からなる伝送路３を介して受信装置５へ伝送されるよう構成されている。
【００５１】
送信装置４は、第１切替部４１と、遅延部４２と、多重化部４３と、第２切替部４４と、外符号符号化部４５と、インターリーブ部４６と、内符号符号化部４７と、同期信号発生部４８と、第３切替部４９と、緊急放送識別信号発生部５０と、デジタル変調部５１とを有する。なお、図３においては。第３切替部４９とデジタル変調部５１とにより多重伝送部が構成される。
【００５２】
また、受信装置５は、デジタル復調部６１と、クロック再生部６２と、分周・逓倍部６３と、同期信号検出部６４と、内符号復号部６５と、デインターリーブ部６６と、外符号復号部６７と、誤り率測定部６８と、第１切替部６９と、分配部７０と、遅延部７１と、第２切替部７２と、第３切替部７３と、緊急放送識別信号検出部７４とを有する。以下に、送信装置４と受信装置５とにおける夫々の構成及び動作内容について具体的に説明する。
【００５３】
＜送信装置の構成＞
本発明における送信装置４は、従来のタイムダイバーシティ伝送システムにおける送信装置１と比較して、緊急放送データを送信するための構成と、更に緊急信号であることを識別するための識別信号を発生させ、伝送する信号に多重させる構成とを有している。
【００５４】
具体的には、タイムダイバーシティ伝送方式において、同一内容のデータ列に時間差を設け、多重化するための遅延部及び多重化部における処理を行う経路の他に、入力された信号をそのまま外符号復号化部４５へ出力する経路を設け、その２つの経路を緊急送信指示信号の入力により切り替えを行う切替部（第１切替部４１，第２切替部４４）を設けている。
【００５５】
また、緊急放送データを送信したことを受信装置側に識別させるための識別信号を発生させる緊急放送識別信号発生部５０と、緊急放送識別信号発生部５０から出力される識別信号をデータに多重させるためのスイッチの切り替えを行う切替部（第３切替部４９）を設けている。
【００５６】
＜送信装置の動作＞
送信装置４は、第１切替部４１にて緊急送信指示信号の有無により、データ列の処理経路の切り替えを行う。ここで、第１切替部４１に入力されるデータ列は、タイムダイバーシティ伝送方式にて伝送される放送データ（第１のデータ列）及び緊急放送データ（第２のデータ列）となる。
【００５７】
第１切替部４１は、通常、緊急送信指示信号が入力されていないため、遅延部４２及び多重化部４３を用いて同一内容のデータの時間差信号を生成する経路を選択するようスイッチングされている。
【００５８】
ここで、第１切替部４１に緊急送信指示信号が入力された場合、第１切替部４１は、遅延部４２及び多重化部４３を通過しない経路にスイッチの切り替えを行い、入力された緊急放送データを第２切替部４４に出力する。なお、このとき遅延部４２及び遅延部４２へのデータ入力は一時的に停止されることになる。
【００５９】
第２切替部４４では、入力される緊急送信指示信号により、第１切替部４１で切り替えられている経路と接続するようにスイッチの切り替えが行われ、緊急放送データを外符号符号化部４５へ出力する。これにより、同一内容のデータの時間差信号を生成することがなく、迅速に緊急放送データを送信することができる。
【００６０】
また、緊急送信指示信号が入力されない場合は、通常のタイムダイバーシティ伝送を行うための処理経路を選択するよう第１切替部４１及び第２切替部４４にてスイッチの切り替えが行われる。
【００６１】
つまり、緊急送信指示信号が第１切替部４１及び第２切替部４４に入力されていない場合は、図１で示したように、遅延部４２及び多重化部４３を用いて同一内容のデータに時間差を設けて多重化する処理が行われる。
【００６２】
まず、入力されたデータ列は、遅延素子等からなる遅延部４２を有する経路と、時間差を設けず実時間で出力する経路とに分配される。これにより、同一内容のデータに所定の時間差を生じさせる。時間差を生じたデータは多重化部４３に出力され多重化される。つまり、図３では、多重化部４３により同一内容のデータが、遅延部４２に設定された時間差Ｔで２回多重化され出力されることになる。
【００６３】
ここで、同一内容のデータの時間差信号を生成し、多重化している最中に緊急送信指示信号の入力により切り替えが発生した場合、遅延部４２及び多重化部４３には処理を行う基準となるタイミング信号（クロック信号）が入力されなくなり処理が一旦停止する。また、緊急送信指示信号が入力されなくなると、遅延部４２及び多重化部４３は、同時に入力されるクロック信号に基づいて処理を再開する。
【００６４】
次に、外符号符号化部４５は、第２切替部４４から入力される緊急放送データ又は多重化された放送データについて第１の誤り訂正符号のパリティが付加される処理（外符号符号化処理）を行いインターリーブ部４６に出力する。インターリーブ部４６は、入力されたデータ配列の順序の入れ替えを行い、内符号符号化部４７に出力する。
【００６５】
内符号符号化部４７は、入力されたデータに対して第２の訂正符号のパリティが付加される処理（内符号符号化処理）を行う。また、同期信号発生部４８は、同期信号を発生しており、同期信号の付加タイミングに基づいて第３切替部４９の切り替えによりデータに同期信号が多重される。
【００６６】
緊急放送識別信号発生部５０は、緊急送信指示信号の入力があると、緊急放送データが送信されていることを受信側に識別させるための識別情報（例えば、フラグ等）を持つ識別信号を発生する。第３切替部４９は、緊急放送識別信号発生部５０へのスイッチの切り替えて、伝送されるデータに識別信号を多重させる。
【００６７】
ここで、第３切替部４９における緊急放送識別信号発生部５０への切り替えの周期は、最初に同期信号発生部４８に切り替えられて同期信号が多重された後に、緊急放送識別信号発生部５０に切り替えることで識別信号を多重する。なお、本発明における識別信号の多重方法は上述の限りではなく、例えば緊急放送識別信号発生部５０から得られる識別信号を同期信号発生部４８に出力し、第３切替部４９が同期信号発生部４８に切り替えたときに識別信号を付加した同期信号を多重させてもよい。
【００６８】
第３切替部４９の切り替えにより多重化されたデータは、デジタル変調部５１に出力される。デジタル変調部５１は、入力されたデータをデジタル変調しデータを伝送路に送出する。
【００６９】
上述したように、送信装置側で緊急放送データを送信する際には、緊急放送データを遅延せずにデジタル変調して送信することにより、タイムダイバーシティ伝送方式において、例えば地震情報、津波情報、ニュース等の緊急を有する放送を迅速に送信することができる。
【００７０】
＜受信装置の構成＞
次に、受信装置５について説明する。本発明における受信装置５は、従来のタイムダイバーシティ伝送システムにおける受信装置２と比較して、受信したデータに含まれている緊急放送識別信号を検出するための緊急放送識別信号検出部７４を有し、更に、緊急放送識別信号検出部７４における検出結果から出力経路の切り替えを行う切替部（第１切替部６９，第３切替部７３）を有している。
【００７１】
＜受信装置の動作＞
受信装置５は、伝送路を介して受信したデータをデジタル復調部６１に入力し、デジタル復調部６１にて検波を行う。このときクロック再生部６２は、受信したデータから、受信装置５における後続の構成部で使用されるタイミング基準信号（クロック信号）を再生してデジタル復調部６１、分周・逓倍部６３に出力する。分周・逓倍部６３は、後続の構成部で使用される周波数に合わせた分周又は逓倍を行い各構成部にクロック信号として供給する。
【００７２】
デジタル復調部６１は、検波後のデータを同期信号検出部６４と、内符号復号部６５と、緊急放送識別信号検出部７４とに出力する。
【００７３】
同期信号検出部６４は、送信装置４の第２切替部４９にて多重された同期信号の検出を行い、後続の構成部分での処理を実行する際に必要となるゲート信号を発生する。
【００７４】
ここで、クロック再生部６２にて再生されたクロック信号が、送信装置４内で使用されているタイミング信号と同期し、且つ同期信号検出部６４において同期信号が高精度に検出できている場合、後続の構成部分においてタイムダイバーシティ伝送における的確な放送データの選択、及び緊急放送データの迅速な出力が可能となる。
【００７５】
また、緊急放送識別信号検出部７４は、デジタル復調部６１にて復調された信号から緊急放送識別信号の識別情報を検出する。緊急放送識別信号検出部７４にて得られる検出結果は、第１切替部６９及び第３切替部７３に出力される。検出結果が緊急放送データの送信を示す識別である場合（第２のデータ列である場合）は、分配部７０、遅延部７１、及び第２切替部７２を用いて処理される時間差を設けた同一内容のデータを同期化し、同期化した同一内容のデータから一つのデータを選択する処理を行わない処理経路に切り替えて出力を行う。
【００７６】
内符号復号部６５は、第２の誤り訂正符号の復号を行い、デインターリーブ部６６に出力する。デインターリーブ部６６は、送信側のインターリーブ部４６で入れ替えられたデータ配列を元の順序に戻すための入れ替えを行い、データ配列の入れ替えがされた後、外符号復号部６７に出力する。外符号復号部６７は、第１の誤り訂正符号の復号を行い、復号により得られるデータは、第１切替部６９及び誤り率測定部６８に出力される。
【００７７】
第１切替部６９は、緊急放送識別信号検出部７４からの検出結果により緊急放送データが送信されたことを示す識別情報が検出された場合（第２のデータ列である場合）に、入力されるデータが分配部７０、遅延部７１、及び第２切替部７２の何れにも処理されずに第３切替部７３に出力される処理経路に切り替える。
【００７８】
また、検出結果により緊急放送データの送信ではないと判断された場合（第１のデータ列である場合）、第１切替部６９は、スイッチを通常の経路に切り替える。時間差を設けて入力された同一内容の放送データは、同期化する処理及び同期化された同一内容の放送データから１つの放送データを選択する処理が行われ、第２切替部７２に出力される。
【００７９】
具体的には、第１切替部６９より経路を切り替えられた放送データは、分配部７０へ出力され、分配部７０で実時間に送信された放送データが時間差Ｔの遅延部７１を通過する経路に振り分けられる。また、時間差Ｔで送信された放送データは、遅延部７１を通らない経路に振り分けられる。このとき、時間差Ｔで送られたデータと実時間で送られたデータのタイミングが一致するように同期化されて出力される。
【００８０】
つまり、分配部７０、遅延部７１、及び第２切替部７２は、受信されたデータに含まれる同一内容の放送データから最良の放送データを選択して出力するデータ選択部となる。
【００８１】
ここで、データ選択を実施している最中に緊急放送データが送信されたことを示す識別情報が検出され、第１切替部６９及び第３切替部７３における処理経路の切り替えが発生した場合、分配部７０、遅延部７１、及び第２切替部７２には処理を行う基準となるタイミング信号（クロック信号）が入力されなくなり処理が一旦停止する。また、緊急放送データが送信されたことを示す識別情報が検出されなくなると、第１切替部６９及び第３切替部７３は通常の処理経路に切り替えて、分配部７０、遅延部７１、及び第２切替部７２は、入力されるクロック信号に基づいて処理を再開する。これにより、効率的なデータ選択処理を行うことができる。
【００８２】
また、外符号復号部６７における復号時には、誤り率測定部６８にてビット誤り率を測定し、その測定結果に基づいて、第２切替部７２にてビットの誤り率の少ない最良のデータを切り替えにより選択して第３切替部７３へ出力する。
【００８３】
第３切替部７３は、第１切替部６９と同様に緊急放送識別信号検出部７４により緊急放送データが送信されていることを示す識別情報が検出された場合、第３切替部７３のスイッチが切り替えられ緊急放送データ（第２のデータ列）を迅速に出力する。
【００８４】
また、緊急放送データの送信でない場合、第３切替部７３のスイッチをタイムダイバーシティ信号の放送データ（第１のデータ列）に切り替えて信号を出力する。
【００８５】
これにより、タイムダイバーシティ伝送方式を用いて、伝送されたデータに緊急放送データが含まれている場合でも処理経路を切り替えることにより迅速に緊急放送データを送受信することができる。
【００８６】
ここで、本発明におけるタイムダイバーシティ伝送システムにおいて、緊急放送データが送受信されるときの処理経路の一例を図４に示す。なお、図４に示したタイムダイバーシティ伝送システムは、図３と同様のブロック構成である。
【００８７】
本発明におけるタイムダイバーシティ伝送システムは、緊急放送データを送受信する場合、図４の太線に示す処理経路により伝送が行われる。つまり、緊急放送データの場合は、受信装置４は、遅延部４２及び多重化部４３の処理が行われずに送信する。また、送信装置５は、分配部７０、遅延部７１、及び第２切替部７２の処理を行わずに出力する。これにより、緊急放送データを迅速に送受信することができる。
【００８８】
上述したように本発明によれば、タイムダイバーシティにおける伝送において、地震情報、津波情報、ニュース等の割り込みデータを迅速に提供することができる。また、通常のダイバーシティ伝送においても時間差を設けて生成した同一内容のデータから最良なデータを選択して出力することにより、降雨減衰等の影響による実際の遮断時間と比較して欠損の少ないデータを取得することができる。これにより、タイムダイバーシティにおける高精度なデータの送受信を実現することができる。
【００８９】
以上本発明の好ましい実施例について詳述したが、本発明は係る特定の実施形態に限定されるものではなく、特許請求の範囲に記載された本発明の要旨の範囲内において、種々の変形、変更が可能である。
【００９０】
【発明の効果】
上述の如く本発明によれば、タイムダイバーシティ伝送において、割り込みデータを迅速に送受信することができる。
【図面の簡単な説明】
【図１】従来のタイムダイバーシティ伝送システムの一例を示すブロック構成図である。
【図２】従来のタイムダイバーシティ伝送システムにおけるデータの様子を示す一例の図である。
【図３】本発明におけるタイムダイバーシティ伝送システムの一例を示すブロック構成図である。
【図４】緊急放送データが送受信されるときの処理経路の一例を示す図である。
【符号の説明】
１，４  送信装置
２，５  受信装置
３  伝送路
１１，２９，４２，７１  遅延部
１２，４３  多重化部
１３，４５  外符号符号化部
１４，４６  インターリーブ部
１５，４７  内符号符号化部
１６，４８  同期信号発生部
１７，３１  切替部
１８，５１  デジタル変調部
２１，６１  デジタル復調部
２２，６２  クロック再生部
２３，６３  分周・逓倍部
２４，６４  同期信号検出部
２４，６５  内符号復号部
２６，６６  デインターリーブ部
２７，６７  外符号復号部
２８，７０  分配部
３０，６８  誤り率測定部
４１  第１切替部（送信側）
４４  第２切替部（送信側）
４９  第３切替部（送信側）
５０  緊急放送識別信号発生部
６９  第１切替部（受信側）
７２  第２切替部（受信側）
７３  第３切替部（受信側）
７４  緊急放送識別信号検出部
【図１】
2005072681.tif 000003
【図２】
2005072681.tif 000004
【図３】
2005072681.tif 000005
【図４】
2005072681.tif 000006